(57)【要約】【課題】表面の外観性に優れ、しかも表面材と発泡樹脂ブロックを強固に取り付けることができ、発泡樹脂ブロックの圧縮クリープ変形による表面材の変形や破損等を効果的に抑制することができる、表面材付き発泡樹脂ブロックを提供すること。【解決手段】表面にアリ溝１２を形成した発泡樹脂ブロック１１と、前記アリ溝の形状に倣った形状を成し、当該アリ溝に嵌合される嵌合部材２０と、前記発泡樹脂ブロックの前記アリ溝の内部に位置する凸条３１が形成された表面材３０と、を備え、前記嵌合部材に鉤部２１が形成されており、前記凸条の前記鉤部に対応する位置に鉤部挿入用スリット３３が形成されており、前記嵌合部材の鉤部を前記表面材の凸条の鉤部挿入スリットに係合させることによって前記表面材が前記発泡樹脂ブロックに組み付けられている表面材付き発泡樹脂ブロックとした。【選択図】図２
2018040234.tif 000002
【特許請求の範囲】
【請求項１】
発泡樹脂ブロックの表面に表面材が取り付けられた表面材付き発泡樹脂ブロックであって、前記表面にアリ溝を形成した発泡樹脂ブロックと、前記アリ溝の形状に倣った形状を成し、当該アリ溝に嵌合される嵌合部材と、前記発泡樹脂ブロックの前記アリ溝の内部に位置する凸条が形成された表面材と、を備え、前記嵌合部材に鉤部が形成されており、前記凸条の前記鉤部に対応する位置に鉤部挿入用スリットが形成されており、前記嵌合部材の鉤部を前記表面材の凸条の鉤部挿入スリットに係合させることによって前記表面材が前記発泡樹脂ブロックに組み付けられていることを特徴とする、表面材付き発泡樹脂ブロック。
【請求項２】
前記鉤部が嵌合部材の両開口縁を内方に曲折することにより形成されており、該嵌合部材の鉤部に対応する位置の前記凸条の両側面に前記鉤部挿入用スリットが形成されていることを特徴とする、請求項１に記載の表面材付き発泡樹脂ブロック。
【請求項３】
前記発泡樹脂ブロックの表面及び前記表面材の凸条に、前記アリ溝及び前記凸条を横切る位置決め用スリットが形成されているとともに、それらの位置決め用スリットに挿入される位置決め板を備え、前記位置決め板を前記発泡樹脂ブロックの位置決め用スリット及び前記表面材の凸条の位置決め用スリットに介在させることによって前記発泡樹脂ブロックに対して前記表面材が位置決めされていることを特徴とする、請求項１又は２に記載の表面材付き発泡樹脂ブロック。
【請求項４】
前記発泡樹脂ブロックのアリ溝が、発泡樹脂ブロックを構築設置した状態で上下方向に沿って形成されているとともに、前記表面材の凸条にガイドロッド挿通部が形成されていることを特徴とする、請求項１〜３のいずれかに記載の表面材付き発泡樹脂ブロック。
【請求項５】
前記発泡樹脂ブロックのアリ溝及び前記表面材の凸条が複数本形成されていることを特徴とする、請求項１〜４のいずれかに記載の表面材付き発泡樹脂ブロック。
【発明の詳細な説明】
【技術分野】
【０００１】
本発明は、表面材付き発泡樹脂ブロックに関するもので、特に、軽量盛土構造体で好適に使用される、表面材付き発泡樹脂ブロックに関するものある。
【背景技術】
【０００２】
近年、傾斜地の拡幅盛土や自立壁の盛土の工法として、盛土構造の軽量化や土圧軽減等を図るために、土を用いた盛土工法に代わり、発泡スチロールなどのブロック（以下、「発泡樹脂ブロック」という）を用いて道路などの土木構造物を構築する軽量盛土工法が採用されている。この軽量盛土工法は、土を用いた盛土工法に比べて工期の短縮及びコスト削減を図ることができる。
【０００３】
このような軽量盛土工法では、発泡樹脂ブロックを積み上げて軽量盛土構造体を構築するとともに、その構造体の外面に位置する部位に金属板、合成樹脂系板、セメント系板等によって形成された表面材を添設させた発泡樹脂ブロックを、表面材が露出するように配置して内部の発泡樹脂ブロックを保護している。
【０００４】
発泡樹脂ブロックへの表面材の添設方法として、発泡樹脂ブロックの表面材と接する面に表面材を取り付けるためのボルトをねじ込む支持部材を埋設し、表面材にボルト挿入用の穴を設けて発泡樹脂ブロックと表面材とをボルトにて固定する方法がある。しかし、この方法では、表面材にねじ穴を開ける必要があること、ボルトが表面に露出するためボルトを隠すための補修剤などが必要であること、表面に補修剤の跡が残ってしまい外観性に劣ること、さらにはボルト部分をきっかけに欠損が生じるおそれがあること、などの課題があった。
【０００５】
上記課題を避けるために、特許文献１に開示されているように、直方体に形成された発泡樹脂ブロックの表面にアリ溝を形成するとともに、表面材の裏面に前記アリ溝に対応する形状の凸条を形成し、その凸条をアリ溝に嵌合させることにより表面材を発泡樹脂ブロックの表面に添設した表面材付き発泡樹脂ブロックが提案されている。
【先行技術文献】
【特許文献】
【０００６】
【特許文献１】特開２００７−２３６６５号公報
【発明の概要】
【発明が解決しようとする課題】
【０００７】
しかしながら、特許文献１の図２に開示されているような発泡樹脂ブロックに上部が開放されたアリ溝を形成する場合、発泡樹脂ブロックと表面材とが直接嵌合するため、発泡樹脂ブロックの材質や発泡倍率によっては発泡樹脂ブロックと表面材の係合部との嵌合強度が不十分となるおそれがあった。特に、構造体の下方部に配置する発泡樹脂ブロックには大きな負荷がかかるため、発泡樹脂ブロックが圧縮クリープ変形を起こしやすく、発泡樹脂ブロックの変形や破損等をきっかけとして、添設した表面材にも割れや欠けなどが生じるおそれがあった。
【０００８】
本発明は、上記のような実情に鑑みて成されたもので、表面の外観性に優れ、しかも表面材と発泡樹脂ブロックを強固に取り付けることができ、発泡樹脂ブロックの圧縮クリープ変形による表面材の変形や破損等を効果的に抑制することができる、表面材付き発泡樹脂ブロックを提供することを目的とする。
【課題を解決するための手段】
【０００９】
上記した目的を達成するため、請求項１の表面材付き発泡樹脂ブロックは、発泡樹脂ブロックの表面に表面材が取り付けられた表面材付き発泡樹脂ブロックであって、前記表面にアリ溝を形成した発泡樹脂ブロックと、前記アリ溝の形状に倣った形状を成し、当該アリ溝に嵌合される嵌合部材と、前記発泡樹脂ブロックの前記アリ溝の内部に位置する凸条が形成された表面材と、を備え、前記嵌合部材に鉤部が形成されており、前記凸条の前記鉤部に対応する位置に鉤部挿入用スリットが形成されており、前記嵌合部材の鉤部を前記表面材の凸条の鉤部挿入スリットに係合させることによって前記表面材が前記発泡樹脂ブロックに組み付けられていることを特徴とする。
【００１０】
また、請求項２の表面材付き発泡樹脂ブロックは、前記請求項１に記載の発明において、前記鉤部が嵌合部材の両開口縁を内方に曲折することにより形成されており、該嵌合部材の鉤部に対応する位置の前記凸条の両側面に前記鉤部挿入用スリットが形成されていることを特徴とする。
【００１１】
また、請求項３の表面材付き発泡樹脂ブロックは、前記請求項１又は２に記載の発明において、前記発泡樹脂ブロックの表面及び前記表面材の凸条に、前記アリ溝及び前記凸条を横切る位置決め用スリットが形成されているとともに、それらの位置決め用スリットに挿入される位置決め板を備え、前記位置決め板を前記発泡樹脂ブロックの位置決め用スリット及び前記表面材の凸条の位置決め用スリットに介在させることによって前記発泡樹脂ブロックに対して前記表面材が位置決めされていることを特徴とする。
【００１２】
また、請求項４の表面材付き発泡樹脂ブロックは、前記請求項１〜３のいずれかに記載の発明において、前記発泡樹脂ブロックのアリ溝が、発泡樹脂ブロックを構築設置した状態で上下方向に沿って形成されているとともに、前記表面材の凸条にガイドロッド挿通部が形成されていることを特徴とする。
【００１３】
また、請求項５の表面材付き発泡樹脂ブロックは、前記請求項１〜４のいずれかに記載の発明において、前記発泡樹脂ブロックのアリ溝及び前記表面材の凸条が複数本形成されていることを特徴とする。
【発明の効果】
【００１４】
上記した請求項１の本発明の表面材付き発泡樹脂ブロックによれば、嵌合部材を介して前記表面材を前記発泡樹脂ブロックに固定する。即ち、表面材は嵌合部材に支持されるので、嵌合部材を剛性の高い材料で形成することにより、表面材を強固に発泡樹脂ブロックに保持させることができる。また、表面材は、嵌合部材を介して発泡樹脂ブロックの表面に結合されているので、発泡樹脂ブロックが圧縮クリープ変形しても、変形や破損等を直接受けるおそれがない。さらに、表面材の凸条が嵌合部材の鉤部によって係合されるので、凸条の形状をアリ溝に対応する形状にする必要がなくなる。そのため、凸条をアリ溝の開口に対して垂直な方向（発泡樹脂ブロックの面に対して垂直な方向）から嵌入することができ、表面材の装着が容易になる。
【００１５】
請求項２の表面材付き発泡樹脂ブロックによれば、上記した請求項１の発明の効果に加え、鉤部を有する嵌合部材の製作が容易なものとなるとともに、表面材の凸条との係合強度の高いものとなる。
【００１６】
請求項３の表面材付き発泡樹脂ブロックによれば、上記した請求項１又は２の発明の効果に加え、位置決め板によって、発泡樹脂ブロックに対する表面材の取り付け位置が確保される。
【００１７】
請求項４の表面材付き発泡樹脂ブロックによれば、上記した請求項１〜３のいずれかの発明の効果に加え、上段の表面材付き発泡樹脂ブロックをガイドロッドによって下段の表面材付き発泡樹脂ブロックの上に容易かつ正確な位置に載置することができる。
【００１８】
請求項５の表面材付き発泡樹脂ブロックによれば、上記した請求項１〜４のいずれかの発明の効果に加え、表面材をより強固に発泡樹脂ブロックに取り付けることができる。
【図面の簡単な説明】
【００１９】
【図１】本発明に係る表面材付き発泡樹脂ブロックが使用される軽量盛土構造体の一例を示した概念的な斜視図である。
【図２】本発明に係る表面材付き発泡樹脂ブロックの一実施形態を示した分解斜視図である。
【図３】本発明に係る表面材付き発泡樹脂ブロックに形成されるアリ溝の断面形状を例示した図である。
【図４】本発明に係る表面材付き発泡樹脂ブロックの嵌合部材を介して表面材を発泡樹脂ブロックに固定する構造を例示した図である。
【図５】本発明に係る表面材付き発泡樹脂ブロックの嵌合部材を介して表面材を発泡樹脂ブロックに固定する構造を例示した図である。
【図６】本発明に係る表面材付き発泡樹脂ブロックに形成されるアリ溝の形状、及び該アリ溝に嵌合される嵌合部材の形状を例示した図である。
【図７】本発明に係る表面材付き発泡樹脂ブロックにおける表面材の一例を裏面から示した斜視図である。
【図８】本発明に係る表面材付き発泡樹脂ブロックの組み付け作業の一例を示した斜視図である。
【図９】本発明に係る表面材付き発泡樹脂ブロックの一実施形態を示した斜視図である。
【図１０】本発明に係る表面材付き発泡樹脂ブロックをコンクリート床版に取り付ける作業の一例を示した斜視図である。
【図１１】本発明に係る下段の表面材付き発泡樹脂ブロックに上段の表面材付き発泡樹脂ブロックを取り付ける作業の一例を示した斜視図である。
【図１２】ガイドロッドの配置関係の一例を示した概念的な断面図である。
【発明を実施するための形態】
【００２０】
以下、本発明に係る表面材付き発泡樹脂ブロックの実施形態を、図面を参照しながら詳細に説明する。
【００２１】
図１に示した軽量盛土構造体１は、傾斜地拡幅構造体であって、地山２の傾斜面に沿って透水材及び排水材等の排水層３を添設し、その上に間詰め材４を介して発泡樹脂ブロック構造体５を積層させている。そして、発泡樹脂ブロック構造体５の最上面には、コンクリート床版６が敷設され、その上にコンクリート層７ａ、砂利７ｂ、アスファルト７ｃ等によって構成される路盤７が敷設される。
このように構成された軽量盛土構造体１では、外部へ露出する部分に、発泡樹脂ブロック構造体５の内部の発泡樹脂ブロック８を保護するために側壁９が形成される。この側壁９には、表面材付き発泡樹脂ブロック１０が使用される。
【００２２】
表面材付き発泡樹脂ブロック１０は、図２に示すように、直方体の発泡樹脂ブロック１１、嵌合部材２０、表面材３０、位置決め板４０等によって構成されている。
【００２３】
発泡樹脂ブロック１１は、ポリスチレン、ポリエチレン、ポリプロピレン、ポリウレタン、ポリ塩化ビニル等を発泡させたものを用いることができる。中でも、安価であり、低密度でも強度が大きいという観点からポリスチレンが好ましく用いられる。
【００２４】
発泡樹脂ブロック１１は、通常、０．０１〜０．０５ｇ／ｃｍ3程度の密度を有するものが好ましく用いられる。また、発泡樹脂ブロック１１の大きさとしては、特に限定されないが、例えば、長さ５０〜２００ｃｍ 、幅５０〜１５０ｃｍ、高さ２０〜１００ｃｍ程度のものが施工性の観点等から好ましい。更に、発泡樹脂ブロック１１は、耐水性、強度等を考慮して、独立した気泡を有するものであることが好ましく、また、押出発泡してなる発泡樹脂ブロックであっても良く、発泡粒子成形体からなる発泡樹脂ブロックであっても良い。
【００２５】
発泡樹脂ブロック１１の外表面には、アリ溝１２が形成されている。このアリ溝１２は、発泡樹脂ブロック１１を設置した状態において上下方向、又は左右方向のいずれかに沿って形成されている。但し、アリ溝１２内に後述する鉄筋ガイドロッド５０を植設する場合には、アリ溝１２が上下方向に沿って形成されていることが好ましい。アリ溝１２が上下方向に沿って形成されている場合には、上記アリ溝１２を横切るように（発泡樹脂ブロック１１の幅方向に）して位置決め用スリット１３が形成されることが好ましく、該位置決め用スリット１３は、発泡樹脂ブロック１１の上下方向中間部に形成されることが特に好ましい。
【００２６】
アリ溝１２は、１つの発泡樹脂ブロック１１に対して２本以上形成されていることが好ましく、４本以上形成されていることがより好ましい。また、発泡樹脂ブロック１１の幅方向中央Ｃを基準として左右対称な位置に形成されることが好ましく、例えば、アリ溝１２を４本形成する場合には、図２に示したように、２本が発泡樹脂ブロック１１の両側面Ｅから距離Ｌ１の位置、他の２本が発泡樹脂ブロック１１の幅方向中央Ｃから距離Ｌ１の位置にそれぞれ配置されていることが好ましい。
【００２７】
本発明におけるアリ溝１２とは、開口から発泡樹脂ブロック１１の内方側に向かって幅が広く形成されているものである。具体的なアリ溝１２の形状としては、図３（ａ）に示したような断面が台形のもののみならず、図３（ｂ）に示した円形、或いは図３（ｃ）に示したＴ字形のものであっても良い。そして、このようにアリ溝１２の形状を変更した場合には、該アリ溝１２に嵌合する後述する嵌合部材２０の断面形状も、それに倣って変更する。
【００２８】
嵌合部材２０は、発泡樹脂ブロック１１の上記アリ溝１２の形状に倣って形成されており、上記アリ溝１２に嵌合されている。
嵌合部材２０としては、上記アリ溝１２の形状に倣った形状であればその形成方法は特に限定されないが、板状部材、例えば板金を上記アリ溝１２の形状に曲折させて形成したもの、上記アリ溝１２の形状に倣った形状をしたダイから溶融樹脂或いは溶融金属を押出して形成したものを挙げることができる。
【００２９】
嵌合部材２０は、金属、合成樹脂等によって形成され、特には、耐食性に優れ、加工性の良いガルバリウム鋼板（登録商標）、ステンレス板、溶融亜鉛メッキ板、溶融亜鉛−アルミニウム−マグネシウム合金メッキ鋼板等が好適に用いられる。嵌合部材２０の厚みは、強度と軽量性の兼ね合いから０．２〜５ｍｍであることが好ましく、０．３〜３ｍｍであることがより好ましい。
【００３０】
嵌合部材２０には、鉤部２１が形成されており、該鉤部２１と後述する表面材３０の凸条３１の鉤部に対応する位置に形成された鉤部挿入用スリット３３とを係合させることによって、表面材３０が発泡樹脂ブロック１１に組み付けられる。
鉤部２１は、図４に示すように嵌合部材２０の両開口縁を内方に向かって曲折することにより形成したものであっても良く、図５に示すように表面材３０の凸条３１に形成された凹部３５に嵌入する突片２３の先端を外方に向かって曲折することにより形成したものであっても良い。嵌合強度の観点、また製作の容易性からは、嵌合部材２０の両開口縁を内方に曲折した鉤部２１が形成されていることが好ましい。鉤部２１の形状は、表面材３０側に形成された上記鉤部挿入用スリット３３と係合が可能であれば特に限定されないが、例えば直線形状、Ｌ字形状、及び釣針状に曲げた形状が挙げられる。
【００３１】
また、鉤部２１を嵌合部材２０の両開口縁に形成した場合には、嵌合部材２０の側面は、アリ溝１２の側面よりも若干内方に傾斜した形状であることが好ましい。具体的には、図６に示したように、アリ溝１２の断面が台形であり、嵌合部材２０の断面がそれに倣った台形のものである場合、アリ溝１２の底面１２ａと側面１２ｂからなる角度θ１よりも嵌合部材２０の底面２０ａと側面２０ｂからなる角度θ２の方が鋭角であることが好ましい。上記θ１よりも上記θ２の方が鋭角であれば、表面材３０の凸条３１と嵌合部材２０とが係合したときに嵌合部材２０の鉤部２１が凸条３１によって外方へ広げられ、より強固に係合されるため好ましい。上記θ１に対する上記θ２の角度は、上記アリ溝１２の形状にもよるが、概ね２〜２０°程度内方に鋭角であることが好ましい。
【００３２】
表面材３０は、硬質な板状部材であれば特に限定されず、金属板、合成樹脂系板、セメント系板等の剛性に優れた材料を主成分として形成されている。また、表面材３０には、本発明の目的効果を阻害しない範囲において、可塑剤、紫外線吸収剤、着色剤、帯電防止剤、抗菌剤、難燃剤、フィラーなどの助剤が配合されていても良い。また、表面材３０の表面には、防水材、着色剤、親水材、撥水材、遮熱材等の塗装をしても良い。
【００３３】
表面材３０の背面には、図７に示すように、発泡樹脂ブロック１１の上記アリ溝１２に対応する位置に凸条３１が形成されている。
該凸条３１の側面は、嵌合部材２０と係合可能であれば特に限定されないが、先細り形状であることが好ましい。また、表面材３０に形成されている凸条３１の先端面の幅は、発泡樹脂ブロック１１のアリ溝１２の開口幅よりも小さいことが好ましい。該凸条３１の側面が先細り形状で、先端面の幅が発泡樹脂ブロック１１のアリ溝１２の開口幅よりも小さい形状であって、アリ溝１２がなす角度θ１よりも嵌合部材２０がなす角度θ２の方が鋭角であると、万が一軽量盛土構造体１の側壁９を構成する表面材３０の一部が破損した場合であっても、破損した表面材のみを取り外して、新たな表面材を表面から発泡樹脂ブロック１１に向かって嵌めることで容易に修復することが可能となることから好ましい。
【００３４】
新たな表面材３０を表面から発泡樹脂ブロック１１に向かって嵌める場合、アリ溝１２の底面１２ａと側面１２ｂからなる角度θ１よりも嵌合部材２０の底面２０ａと側面２０ｂからなる角度θ２の方が鋭角なので、表面材３０を発泡樹脂ブロック１１に嵌める前は、アリ溝１２の側面と嵌合部材２０の側面との間に隙間が存在している。表面材３０を表面から発泡樹脂ブロック１１に向かって嵌める時は、嵌合部材２０の鉤部２１が凸条３１によって外方へ広げられることによって、アリ溝１２の側面と嵌合部材２０の側面との間に隙間が減少し、その後、嵌合部材２０の鉤部２１と凸条３１の鉤部挿入用スリット３３とが係合するとともに、嵌合部材２０の側面が弾性変形して鉤部２１が内方へ戻ることによって、アリ溝１２の側面と嵌合部材２０の側面との間に再度隙間が形成される。
【００３５】
また、凸条３１は、上下方向に連続的に形成されていても良く、断続的に形成されていても良い。発泡樹脂ブロック１１と表面材３０とを固定する強度の観点からは、上下方向に連続的に形成されていることが好ましい。凸条３１には、該凸条３１を横切るように位置決め用スリット３４が形成されていることが好ましく、該位置決め用スリット３４は、凸条３１の縦方向中間部に形成されることが特に好ましい。また、凸条３１には、前記鉤部２１と係合可能な鉤部挿入用スリット３３が形成されている。鉤部挿入用スリット３３は、図４〜図７に示したように嵌合部材２０に形成された鉤部２１に対応する位置に形成されることとなるが、係合強度の観点から、鉤部挿入用スリット３３は、図４、図７に示したように凸条３１の両側面に形成されていることが好ましい。
【００３６】
凸条３１には、先端面にガイドロッド挿通部３２が縦方向に延設され、側壁に鉤部挿入用スリット３３が縦方向に形成されていることが好ましい。凸条３１にガイドロッド挿通部３２を形成する場合には、図４（ａ）の形状が例示できる。また、ガイドロッド挿通部は、嵌合部材２０に形成されていても良く、嵌合部材２０にガイドロッド挿通部２２を形成する場合には、図４（ｂ）或いは図５の形状が例示できる。表面材３０と発泡樹脂ブロック１１の結合強度の観点からは、凸条３１にガイドロッド挿通部３２が形成されていることがより好ましい。
【００３７】
表面材３０は、１つの発泡樹脂ブロック１１に対して１枚の表面材で形成されていても良く、１つの発泡樹脂ブロック１１に対して２枚以上の複数枚の表面材で形成されていても良い。なお、上記アリ溝１２とそれに対応する上記凸条３１は、表面材１枚当たり１本以上有するものとする。例えば、１つの発泡樹脂ブロック１１に対して、２枚の表面材３０からなる場合には、表面材１枚につき少なくとも１本の凸条３１を有する。
【００３８】
また、表面材３０は、発泡樹脂ブロック１１の外表面よりも大きさをわずかに小さくしておくことにより、表面材付き発泡体ブロックに圧縮クリープ変形が生じた際に、隣接する表面材付き発泡体ブロックの表面材同士が接触して割れ、欠けを生じることを抑制することができる。上記観点から、表面材３０の一辺あたりの長さは、発泡樹脂ブロック１１の外表面の一辺あたりの長さよりも０．５〜１０％短いことが好ましく、１〜５％短いことがより好ましい。また、表面材３０の厚さとしては、耐熱性、強度、軽量性等の観点から７〜４０ｍｍが好ましく、１０〜２５ｍｍがより好ましい。
【００３９】
また位置決め板４０は、嵌合部材２０と同様に、剛性に富み、耐食性に優れたガルバリウム鋼板（登録商標）、ステンレス板、溶融亜鉛メッキ板、溶融亜鉛−アルミニウム−マグネシウム合金メッキ鋼板等によって形成されている。この位置決め板４０は、発泡樹脂ブロック１１の位置決め用スリット１３の厚み、奥行そして幅に対応する寸法を有している。
【００４０】
表面材付き発泡樹脂ブロック１０の組み付け方法としては、まず、図２において、位置決め板４０を発泡樹脂ブロック１１の位置決め用スリット１３に嵌入させる。次いで表面材３０の位置決め用スリット３４を位置決め板４０に嵌合させながら凸条３１を発泡樹脂ブロック１１のアリ溝１２に挿入させる（図８参照）。そして、嵌合部材２０を発泡樹脂ブロック１１のアリ溝１２と表面材３０の凸条３１との間に挿入しながら鉤部２１を凸条３１の鉤部挿入用スリット３３に嵌入させることにより表面材付き発泡樹脂ブロック１０を形成することができる（図９参照）。
【００４１】
このようにして組み付けられた表面材付き発泡樹脂ブロック１０は、図４、図５に示すように、嵌合部材２０の側面が発泡樹脂ブロック１１のアリ溝１２の側面によってアリ溝１２内に拘束され、その嵌合部材２０の鉤部２１が表面材３０の凸条３１の鉤部挿入スリット３３に係合して表面材３０が発泡樹脂ブロック１１に組み付けられる。
また、表面材３０にガイドロッド挿通部３２を形成した場合には、図４（ａ）に示すように凸条３１の溝形状のガイドロッド挿通部３２の開口が嵌合部材２０の底壁によって覆われ、そこにガイドロッド挿通孔３２ａを画成する。嵌合部材２０に溝形状のガイドロッド挿通部２２を形成した場合には、図５（ｂ）に示すようにガイドロッド挿通部２２の開口が表面材３０によって覆われ、そこにガイドロッド挿通孔２２ａを画成する。
【００４２】
このような表面材付き発泡樹脂ブロック１０は、図１に示すように、地山２の平坦部に打設されたコンクリート床版６上に敷設され、軽量盛土構造体１が構築される。
【００４３】
表面材付き発泡樹脂ブロック１０を用いた軽量盛土構造体１を構築する方法としては、まず、コンクリート床版６の打設とともに、鉄筋ガイドロッド５０を植設する。ガイドロッド５０の設置位置は、表面材付き発泡樹脂ブロック１０の端部Ｅ側のガイドロッド挿通孔３２ａに対応する位置とする。
【００４４】
次いで、図１０に示すように、それらのガイドロッド５０に表面材付き発泡樹脂ブロック１０のガイドロッド挿通孔３２ａを嵌合させて表面材付き発泡樹脂ブロック１０を設置する。そして、表面材付き発泡樹脂ブロック１０をコンクリート床版６上に敷設したならば、内部に発泡樹脂ブロック８を敷設する。
【００４５】
次いで、敷設した表面材付き発泡樹脂ブロック１０の中間に位置するガイドロッド挿通孔３２ａにガイドロッド５１を挿通させる。
【００４６】
このようにして表面材付き発泡樹脂ブロック１０のガイドロッド挿通孔３２ａに挿通されたガイドロッド５１は、位置決め板４０によって挿入深さが規制される。
【００４７】
次いで、図１１に示すように、下段の表面材付き発泡樹脂ブロック１０に挿着させたガイドロッド５１に、その上段に敷設される表面材付き発泡樹脂ブロック１０のガイドロッド挿通孔３２ａを嵌合させて、上段の表面材付き発泡樹脂ブロック１０を敷設する。
【００４８】
そして、表面材付き発泡樹脂ブロック１０を下段の表面材付き発泡樹脂ブロック１０上に敷設したならば、内方の地山２との間の内部に発泡樹脂ブロック８を敷設する。
【００４９】
そして、表面材付き発泡樹脂ブロック１０および発泡樹脂ブロック８を複数段敷設した発泡樹脂構造体５の上面にコンクリートを打設して床版６を形成し、さらにその上に再度上記した手順で表面材付き発泡樹脂ブロック１０および発泡樹脂ブロック８を敷設して、図１に示すような軽量盛土構造体１を構築する。
【００５０】
このようにして構築された軽量盛土構造体１では、表面材３０間に、目地材を装填できるように構成されている。目地材は、例えば、軽量盛土構造体を構成した後にバックアップ材を装填して、その外側にシーリング材を充填する方法や、表面材付き発泡樹脂ブロックを敷設する際、表面材付き発泡樹脂ブロック同士の間にＡＥＳ（アクリロニトリル−エチレン−スチレン共重合体）、ポリ塩化ビニル、シリコン、ＥＰＤＭ（エチレンプロピレンゴム）、ウレタン、金属板、ＥＰＤＭ発泡体、ポリエチレン発泡体等からなる目地材を装着する方法がある。
【００５１】
このように構築された軽量盛土構造体１では、図１２に示すように、上段の表面材付き発泡樹脂ブロック１０の幅方向端部が、下段の表面付き発泡樹脂ブロック１０の中間部でガイドロッド５１によって結合されている。即ち、上下段の表面付き発泡樹脂ブロック１０が非連続のガイドロッド５１によって連結されているので、上下段の表面付き発泡樹脂ブロック１０に生じた加負荷が他の表面材付き発泡樹脂ブロック１０に伝達されることなく、破損を最小限に収めることができる。
【００５２】
以上、本発明に係る表面材付き発泡樹脂ブロックを説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【産業上の利用可能性】
【００５３】
本発明に係る表面材付き発泡樹脂ブロックは、表面材の発泡樹脂ブロックへの取り付け作業が簡単で、しかも強固に取り付けることができるので、軽量盛土構造体で好適に使用することができる。
【符号の説明】
【００５４】
１    軽量盛土構造体
２    地山
３    排水層
４    間詰め材
５    発泡樹脂ブロック構造体
６    コンクリート床版
７    路盤
７ａ    コンクリート層
７ｂ    砂利
７ｃ    アスファルト
８    発泡樹脂ブロック
９    側壁
１０    表面材付き発泡樹脂ブロック
１１    発泡樹脂ブロック
１２    アリ溝
１３    位置決め用スリット
２０    嵌合部材
２１    鉤部
２２    ガイドロッド挿通部
２２ａ    ガイドロッド挿通孔
２３    突片
３０    表面材
３１    凸条
３２    ガイドロッド挿通部
３２ａ    ガイドロッド挿通孔
３３    鉤部挿入用スリット
３４    位置決め用スリット
３５    凹部
４０    位置決め板
５０，５１    ガイドロッド
【図１】
2018040234.tif 000003
【図２】
2018040234.tif 000004
【図３】
2018040234.tif 000005
【図４】
2018040234.tif 000006
【図５】
2018040234.tif 000007
【図６】
2018040234.tif 000008
【図７】
2018040234.tif 000009
【図８】
2018040234.tif 000010
【図９】
2018040234.tif 000011
【図１０】
2018040234.tif 000012
【図１１】
2018040234.tif 000013
【図１２】
2018040234.tif 000014